(57)【特許請求の範囲】
【請求項１】
通帳印字する頁を開いて通帳を挿入して通帳記帳を行う通帳記帳機において、
最終印字行が頁の最終行近傍のときは、次回の通帳記帳のときに開いて挿入する頁を誘導する誘導印字を前記通帳印字とともに印字して返却するようにしたことを特徴とする通帳記帳機。
【請求項２】
前記最終印字行が頁の最終行のときは、改頁した後に、次回の通帳記帳時は当該頁を開いて挿入するように誘導する誘導印字を前記改頁した頁の最初の行に印字して返却するようにしたことを特徴とする請求項１記載の通帳記帳機。
【請求項３】
前記最終印字行が頁の最終行の１行前のときは、次回の通帳記帳時は次の頁を開いて挿入するように誘導する誘導印字を当該頁の最終行に印字して返却するようにしたことを特徴とする請求項１記載の通帳記帳機。
【請求項４】
前記最終印字行が頁の最終行のときは、次回の通帳記帳時は次の頁を開いて挿入するように誘導する誘導印字を当該頁の最終行に印字し、次の頁の先頭に、前記最終印字行に印字すべき印字データを印字して返却するようにしたことを特徴とする請求項１記載の通帳記帳機。
【請求項５】
前記誘導印字は、誘導文言または誘導記号であることを特徴とする請求項１ないし請求項４いずれか記載の通帳記帳機。
【請求項６】
前記誘導印字は、印字すべき印字データの印字と異なる色若しくは字体または両方で印字するようにしたことを特徴とする請求項１ないし請求項５いずれか記載の通帳記帳機。
【請求項７】
請求項１ないし請求項６いずれか記載の通帳記帳機を備えた自動取引装置。
【発明の詳細な説明】
【技術分野】
【０００１】
本発明は、現金自動預払機等の自動取引装置における通帳記帳に関するものである。
【背景技術】
【０００２】
一般に、現金自動預払機等の自動取引装置では、通帳に取引履歴等を印字する通帳記帳処理を行うための通帳記帳機を備えている。そして、この通帳記帳機の通帳記帳処理では、顧客が通帳の印字最終頁を開いて挿入し、印字最終行の次の行から取引履歴等の未記帳データの印字を行って顧客に返却するようになっている。
【０００３】
このとき、開いた頁が印字最終頁であるかどうかは、通帳に貼付された磁気ストライプの磁気データを読取り、通帳の頁マークなどを光学センサにより読み取って判定する。
【０００４】
そして、印字最終頁ではなかったときは、通帳記帳機に改頁部を備えている場合は印字最終頁まで頁めくり処理を行った後に未記帳データの印字を行う。一方、通帳記帳機に改頁部を備えていない場合は、頁めくり処理ができないので印字最終頁を開いて再度挿入するように顧客に案内して通帳を返却するようになっている。
【０００５】
そして、改頁部を備え、頁めくり処理を行う場合では、頁めくり処理に時間を要し顧客に不信感を与えてしまうことを防止するために、改頁案内情報や改頁所要時間を表示して顧客に不信感を与えないようした技術はあった（例えば、特許文献１参照）。
【先行技術文献】
【特許文献】
【０００６】
【特許文献１】特開平７−８９１６５号公報
【発明の概要】
【発明が解決しようとする課題】
【０００７】
しかしながら、上記従来の改頁部を備えた通帳記帳機では、顧客が開いた頁が印字最終頁ではなかった場合、頁めくり処理を待つ顧客の不信感をなくすことはできるが、やはり通帳記帳には時間を要し取引時間がかかり次の顧客の待ち時間が長くなってしまうといった問題があった。
【０００８】
また、改頁部の頁めくり処理が失敗したときは、再度の挿入を促し、再挿入することになるが、顧客は、何度も誤った頁を開いて挿入してしまい、その都度、頁めくり処理を要し、取引に時間がかかってしまうという問題があった。
【０００９】
一方、上記従来の改頁部を備えていない通帳記帳機では、顧客が開いた頁が印字最終頁ではなかった場合、前述の頁めくり処理が失敗したときと同様、再度の挿入を促し、再挿入することになるが、顧客が、何度も誤った頁を開いて挿入してしまうという問題があった。
【００１０】
特に、印字最終行が頁の最後の行となった場合、次回の通帳記帳の際に次の頁を開いて挿入せずに最後の印字頁を開いて挿入してしまったり、逆に、印字最終行が最後の行近傍になった場合、次回の通帳記帳の際に次の頁を開いて挿入してしまったりして、上記問題が顕著になっていた。
【課題を解決するための手段】
【００１１】
本発明は、前述の課題を解決するために次の構成を採用する。すなわち、通帳印字する頁を開いて通帳を挿入して通帳記帳を行う通帳記帳機において、最終印字行が頁の最終行近傍のときは、次回の通帳記帳のときに開いて挿入する頁を誘導する誘導印字を前記通帳印字とともに印字して返却するようにした。
【発明の効果】
【００１２】
本発明の通帳記帳機によれば、通帳印字する頁を開いて通帳を挿入して通帳記帳を行う通帳記帳機において、最終印字行が頁の最終行近傍のときは、次回の通帳記帳のときに開いて挿入する頁を誘導する誘導印字を前記通帳印字とともに印字して返却するようにしたので、誤った頁を開いて通帳が挿入されることを防止することができ、取引時間を短くすることができる。
【図面の簡単な説明】
【００１３】
【図１】実施例１の自動取引装置の外観斜視図である。
【図２】実施例１の自動取引装置の制御系ブロック図である。
【図３】実施例１の自動取引装置の通帳記帳機の構成図である。
【図４】実施例１の自動取引装置の動作フローチャート図である。
【図５】実施例１の自動取引装置の動作説明図（通帳印字の例示図）である。
【図６】実施例２の自動取引装置の動作フローチャート図である。
【図７】実施例２の自動取引装置の動作説明図（通帳印字の例示図）である。
【図８】実施例３の自動取引装置の動作フローチャート図である。
【図９】実施例３の自動取引装置の動作説明図（通帳印字の例示図）である。
【図１０】変形例の自動取引装置の動作説明図である。
【発明を実施するための形態】
【００１４】
以下、図面を用いて本発明に係わる実施の形態例を説明する。図面に共通する要素には同一の符号を付す。
【実施例１】
【００１５】
（構成）
図１は、実施例１の自動取引装置の外観を示す斜視図である。同図に示したように、実施例１の自動取引装置は、硬貨を入金或いは出金する硬貨入出金口１２と、紙幣を投入或いは出金する紙幣入出金口１１と、取引操作画面を表示し所定の入力を行うタッチパネルからなる操作部１４と、通帳記帳等を行う場合に通帳を挿入し返却される通帳挿入返却口１５と、本人確認のためのキャッシュカードを挿入しレシートとともに返却されるカード挿入返却口１６とを備える。
【００１６】
また、実施例１の自動取引装置１の制御系は、図２に示したような構成となっている。すなわち、同図に示したように自動取引装置１の制御系は、後述の各部の制御を行う主制御部２０と、前述の操作部１４と、キャッシュカードの磁気ストライプ等のリードライトを行うカード処理部２１と、操作ガイダンスやアラーム音等を音声またはブザー音として出力するスピーカ部２２と、通帳の磁気ストライプ等のリードライトおよび通帳への印字制御を行う通帳処理部２３と、紙幣の入出金制御を行う紙幣処理部２４と、硬貨の入出金制御を行う硬貨処理部２５とを備える。
【００１７】
さらに、主制御部２０の記憶部としてのメモリ部２７、ホストコンピュータ５０とのインタフェイスを制御するインタフェイス部２８を有する。
【００１８】
図３は、実施例１の自動取引装置１に備えられた通帳記帳機４０の構成を示す側面図である。同図に示したように、通帳記帳機４０は、印字頁を開いて図中矢印Ａのように挿入される通帳３１を検知する光学センサ２９、通帳３１の吸入を行う通帳吸入ローラ３２ａ、磁気データの読取りや書込みを行う磁気リードライト部３８、頁マーク等を読取り、印字すべき頁を確認する光学センサ３９、吸入した通帳３１をさらに搬送する搬送ローラ３２ｂ、３２ｃ、未記帳印字データの印字を行う印字部３４が同図のように配置されている。
【００１９】
また、挿入された通帳３１の開いた頁が印字すべき頁でないときや、最終行まで印字を終了してもまだ印字データが残っている場合に、頁めくり処理を行って頁めくりを行う改頁部３０が破線部のように配置されている。
【００２０】
（動作）
以上の構成にて実施例１の自動取引装置は、以下のように動作する。以下、本発明にかかる通帳記帳動作について、図４の動作フローチャート図および図５の通帳印字の例示図を用いて説明する。
【００２１】
まず、顧客が、自動取引装置１に接近し、図示しない顧客センサにより顧客の接近を検知すると、操作部１４に取引選択画面を表示する。そして、顧客が通帳記帳取引を選択すると、操作部１４やスピーカ部２２の案内に従い、通帳３１の印字頁を開いて通帳挿入返却口１５から挿入する。
【００２２】
すると、自動取引装置１の主制御部２０は、ホストコンピュータ５０からインタフェイス部２８を介して印字データを取得する（ステップＳ０１）。
【００２３】
そして、通帳処理部２３は、主制御部２０の制御に基づきホストコンピュータ５０から取得した印字データから１行分の印字データを作成し（ステップＳ０２）、１行を印字する（ステップＳ０３）。
【００２４】
そして、ホストコンピュータ５０から取得した印字データを全て印字したかどうかをチェックし（ステップＳ０４）、未印字データがあるときはステップＳ０２に戻り、次の１行分の印字データを作成し、１行を印字し、ステップＳ０４にて未印字データの有無を判定しこれを繰り返す。
【００２５】
一方、ステップＳ０４にて、未印字データがないと判定されたときは、最後に印字した行が頁の最終行であるかチェックし（ステップＳ０５）、図５（ａ）の３１ｅにように最終行であった場合は、改頁を行い（ステップＳ０６）、改頁した頁の先頭行に図５（ｂ）に示した誘導文言３１ａのように、例えば「次回、記帳をする時は、この頁を開いて挿入してください」を１行印字し（ステップＳ０７）、当該印字頁を開いた状態で通帳３１を通帳挿入返却口１５から返却し印字処理を終了する。
【００２６】
ステップＳ０５にて最後に印字した行が最終行でない場合は、誘導文言を印字することなく、そのまま当該印字頁を開いた状態で通帳３１を通帳挿入返却口１５から返却し印字処理を終了する。
【００２７】
以上のように、特に、最後に印字した行が頁の最終行の場合、次回の通帳記帳のときに、最後の印字頁を開いて挿入しやすいが、最後の印字頁の次の頁の先頭行に、「次の記帳の時は、この頁を開いて挿入してください」の誘導文言の印字がなされ、当該頁が開かれた状態で通帳３１が返却されるので、これを受け取った顧客は前記誘導文言を確認し、次の記帳の際に開く頁を間違えることがない。
【００２８】
（実施例１の効果）
以上のように実施例１の通帳記帳機によれば、最終印字行が頁の最終行のときは、改頁した後に、次回の通帳記帳時は当該頁を開いて挿入するように誘導する誘導文言を前記改頁した頁の最初の行に印字して返却するようにしたので、次回、誤った頁を開いて通帳が挿入されないようにすることができ、取引時間を短くすることができる。
【実施例２】
【００２９】
（構成）
実施例２の自動取引装置の外観構成、内部構成および通帳記帳機の構成は図１〜図３にて説明した実施例１の構成と同様であるので、簡略化のためにその詳細な説明は省略する。
【００３０】
（動作）
以上の構成にて実施例２の自動取引装置は、以下のように動作する。以下、本発明にかかる通帳記帳動作について、図６の動作フローチャート図および図７の通帳印字の例示図を用いて説明する。
【００３１】
まず、顧客が、自動取引装置１に接近し、図示しない顧客センサにより顧客の接近を検知すると、操作部１４に取引選択画面を表示する。そして、顧客が通帳記帳取引を選択すると、操作部１４やスピーカ部２２の案内に従い、通帳３１の印字頁を開いて通帳挿入返却口１５から挿入する。
【００３２】
すると、自動取引装置１の主制御部２０は、ホストコンピュータ５０からインタフェイス部２８を介して印字データを取得する（ステップＳ１１）。
【００３３】
そして、通帳処理部２３は、主制御部２０の制御に基づきホストコンピュータ５０から取得した印字データから１行分の印字データを作成し（ステップＳ１２）、１行を印字する（ステップＳ１３）。
【００３４】
そして、ホストコンピュータ５０から取得した印字データを全て印字したかどうかをチェックし（ステップＳ１４）、未印字データがあるときはステップＳ１２に戻り、次の１行分の印字データを作成し、１行を印字し、ステップＳ１４にて未印字データの有無を判定しこれを繰り返す。
【００３５】
一方、ステップＳ１４にて、未印字データがないと判定されたときは、最後に印字した行が頁の最終行の１行前であるかチェックし（ステップＳ１５）、最終行の１行前であった場合は、図７（ａ）に示したように、最終印字データ３１ｅの次の最終行に誘導文言３１ｂのように、例えば「次回、記帳をする時は、次の頁を開いて挿入してください」を１行印字して（ステップＳ１６）当該印字頁を開いた状態で通帳３１を通帳挿入返却口１５から返却し印字処理を終了する。
【００３６】
ステップＳ１５にて最後に印字した行が頁の最終行の１行前でない場合は、誘導文言を印字することなく、そのまま当該印字頁を開いた状態で通帳３１を通帳挿入返却口１５から返却し印字処理を終了する。
【００３７】
以上のように、特に、最後に印字した行が頁の最終行の１つ前の場合は、次回の通帳記帳のときに最後に印字した頁にまだ１行残っているにも拘わらず次のページを開いて挿入してしまうことが多いが、最後の印字行に、「次の記帳の時は、次の頁を開いて挿入してください」の誘導文言の印字がなされ、当該頁が開かれた状態で通帳３１が返却されるので、これを受け取った顧客は前記誘導文言を確認し、次の記帳の際には次ぎのページを開いて挿入し開く頁を間違えることがない。
【００３８】
（実施例２の効果）
以上のように実施例２の通帳記帳機によれば、最終印字行が頁の最終行の１行前のときは、次回の通帳記帳時は次の頁を開いて挿入するように誘導する誘導文言を当該頁の最終行に印字して返却するようにしたので、実施例１と同様、次回、誤った頁を開いて通帳が挿入されないようにすることができ、取引時間を短くすることができる。
【実施例３】
【００３９】
（構成）
実施例３の自動取引装置の外観構成、内部構成および通帳記帳機の構成は図１〜図３にて説明した実施例１の構成と同様であるので、簡略化のためにその詳細な説明は省略する。
【００４０】
（動作）
以上の構成にて実施例２の自動取引装置は、以下のように動作する。以下、本発明にかかる通帳記帳動作について、図８の動作フローチャート図および図９の通帳印字の例示図を用いて説明する。
【００４１】
まず、顧客が、自動取引装置１に接近し、図示しない顧客センサにより顧客の接近を検知すると、操作部１４に取引選択画面を表示する。そして、顧客が通帳記帳取引を選択すると、操作部１４やスピーカ部２２の案内に従い、通帳３１の印字頁を開いて通帳挿入返却口１５から挿入する。
【００４２】
すると、自動取引装置１の主制御部２０は、ホストコンピュータ５０からインタフェイス部２８を介して印字データを取得する（ステップＳ２１）。
【００４３】
そして、通帳処理部２３は、主制御部２０の制御に基づきホストコンピュータ５０から取得した印字データから１行分の印字データを作成する（ステップＳ２２）。
【００４４】
そして、未作成印字データがあるかどうか、すなわち、さらに次の行として印字する印字データがあるかどうかを判定し（ステップＳ２３）、さらに次の未作成印字データがあるときはステップＳ２７に進み、１行分の印字データを印字し（ステップＳ２７）、ホストコンピュータ５０から取得した印字データを全て印字したかどうかをチェックし（ステップＳ２８）、未印字データがあるときはステップＳ２２に戻り、次の１行分の印字データを作成し、ステップＳ２３にて未作成印字データの有無を判定し以降同様に行う。
【００４５】
一方、ステップＳ２３にて、未作成印字データが無い場合は、次の印字が頁の最終行であるかチェックし（ステップＳ２４）、最終行のときは、図９（ａ）に示した誘導文言３１ｂのように、例えば「次回、記帳をする時は、次の頁を開いて挿入してください」を１行印字した後（ステップＳ２５）、改頁し（ステップＳ２６）、ステップＳ２２にて作成した１行分の印字データを改頁した先頭の行に図９（ｂ）の３１ｅのように最終印字データを印字する（ステップＳ２７）。
【００４６】
そして、未印字データがあるいかどうか判定し（ステップＳ２８）、未印字データがあるときは、ステップＳ２２に戻り、ホストコンピュータ５０から取得した印字データから１行分の印字データを作成し、以降同様に行う。
【００４７】
一方、ステップＳ２８にて、未印字データがないときは、当該印字頁を開いた状態で通帳３１を通帳挿入返却口１５から返却し印字処理を終了する。
【００４８】
以上のように、特に、最後に印字した行が頁の最終行の場合、次回の通帳記帳のときに、最後の印字頁を開いて挿入しやすいが、最後の印字行に、「次の記帳の時は、次の頁を開いて挿入してください」の誘導文言の印字がなされ、次の頁の先頭行に最終行の印字を行い、当該頁が開かれた状態で通帳３１が返却されるので、これを受け取った顧客は前記先頭行の印字を確認し、次の記帳の際に開く頁を間違えることがなく、仮に、次の記帳の際に一頁前を開いて通帳を挿入しようとしたときでも、最終行に前記誘導文言が印字されているので、次ぎの頁を開いて挿入するように誘導することができる。
【００４９】
（実施例３の効果）
以上のように実施例３の通帳記帳機によれば、最終印字行が頁の最終行のときは、次回の通帳記帳時は次の頁を開いて挿入するように誘導する誘導文言を当該頁の最終行に印字し、次の頁の先頭に、前記最終印字行に印字すべき印字データを印字して返却するようにしたので、実施例１と同様、次回、誤った頁を開いて通帳が挿入されないようにすることができ、取引時間を短くすることができる。
【００５０】
《その他の変形例》
以上の実施例１および実施例３の通帳記帳機の説明では、３１ａまたは３１ｂの誘導文言を１行印字するように説明したが、誘導文言でなく、「＊＊＊＊＊＊＊」などの記号を誘導印字として印字するようにしても、次回の通帳記帳のときに開く頁の最初の行に何らかの印字がされているので、正しい頁を開いて通帳を挿入できるように誘導することができる。
【００５１】
また、以上の実施例２の通帳記帳機の説明では、図７のように、最終印字行が頁の最終行の１行前のときは、次回の通帳記帳時は次の頁を開いて挿入するように誘導する印字３１ｂを最終行に印字するように説明したが、図１０（ａ）の変形例の通帳記帳機の通帳印字の例示図に示したように、「次回、記帳をする時は、次の頁を開いて挿入してください」の誘導文言３１ｂを最終行に印字するとともに、図１０（ｂ）のように、改頁して次の頁の最初の行に「次回、記帳をする時は、この頁を開いて挿入してください」の誘導文言３１ａを印字するようにするとなおよい。
【００５２】
また、以上の実施例２の通帳記帳機の説明では、最終印字行が頁の最終行の１行前のときに１行の誘導文言３１ｂを印字するように説明したが、最終印字行が頁の最終行のＮ行前のときに、Ｎ行の誘導文言を印字するようにしてもよい。
【００５３】
また、以上の実施例の説明では、誘導文言３１ａや誘導文言３１ｂの印字の色や印字体については説明しなかったが、注意を喚起するように赤などの色や太字など、印字データの印字とは異なる色や字体で強調するようにするとなおよい。
【産業上の利用可能性】
【００５４】
以上述べたように、本発明は、通帳記帳が可能な現金自動預払機等の自動取引装置や、通帳記帳専用の通帳記帳専用機に広く用いることができる。
【符号の説明】
【００５５】
１    自動取引装置
１４  操作部
１５  通帳挿入返却口
１６  カード挿入返却口
２０  主制御部
２１  カード処理部
２２  スピーカ部
２３  通帳処理部
２７  メモリ部
２８  インタフェイス部
３０  改頁部
３１  通帳
３１ａ、３１ｂ  誘導文言
３１ｅ  最終印字データ
４０  通帳記帳機
５０  ホストコンピュータ
【図１】
0005605268.tif 000002
【図２】
0005605268.tif 000003
【図３】
0005605268.tif 000004
【図４】
0005605268.tif 000005
【図５】
0005605268.tif 000006
【図６】
0005605268.tif 000007
【図７】
0005605268.tif 000008
【図８】
0005605268.tif 000009
【図９】
0005605268.tif 000010
【図１０】
0005605268.tif 000011